(57)【特許請求の範囲】
【請求項１】
互いに接続すべき二本の配管の芯出しをするために配管を挟持する配管挟持装置であって、
配管の周面を異なる側から保持する複数の挟持部を有し、
前記挟持部は、前記二本の配管の周面に当接して、これら二本の配管の芯出しをするための芯出し手段と、前記二本の配管の長手方向軸線と実質的に直交する方向に、前記二本の配管の端面の間へと延びる板状のすきまゲージ部材と、前記すきまゲージ部材に重ねられて、このすきまゲージ部材と共に前記二本の配管の端面の間へと延びる板状の追加ゲージ部材とを有し、前記すきまゲージ部材と、前記二本の配管の端面の間隔を所望の値に管理するために調整された枚数の前記追加ゲージ部材が、前記二本の配管の間に、前記配管の径方向に挿抜可能に設けられている、
ことを特徴とする配管挟持装置。
【請求項２】
前記芯出し手段は、前記二本の配管の長手方向軸線に延びるほぼ円柱状に形成され、この芯出し手段の側面に、前記二本の配管の径方向に沿ってスリットが形成され、
前記すきまゲージ部材及び前記追加ゲージ部材は、Ｕ字型の平面形状を持つ平板であり、
前記すきまゲージ部材の両腕部の間隔は上記芯出し手段の外径よりも小さく、前記すきまゲージ部材の両腕部が前記芯出し手段のスリットに差し込まれるようになっており、
前記追加ゲージ部材の両腕部の間隔は、前記芯出し手段の外径よりも大きく、
前記すきまゲージ部材は、このすきまゲージ部材に重ねられた前記追加ゲージ部材と共に、前記芯出し手段のスリットに沿って、前記二本の配管の径方向に沿って移動可能になっている、請求項１に記載の配管挟持装置。
【請求項３】
前記芯出し手段は、前記二本の配管のうちの一方の配管の周面に当接する第１の当接部と、前記二本の配管のうちの他方の配管の周面に当接する第２の当接部とを有し、前記すきまゲージ部材は、前記芯出し手段の前記第１の当接部と前記第２の当接部との間に設けられている請求項１又は２に記載の配管挟持装置。
【請求項４】
互いに接続すべき二本の配管の芯出しをするために配管を挟持する配管挟持装置であって、
実質的に上下方向に延び、配管の周面を一方の側から保持する第１の挟持アームと、
実質的に上下方向に延び、前記配管の周面を他方の側から保持する第２の挟持アームと、
前記第１の挟持アーム及び前記第２の挟持アームの各上端部を回動可能に支持する支持部と、
一端部が前記第１の挟持アームに沿って移動可能に設けられると共に、他端部が前記第２の挟持アームに沿って移動可能に設けられ、前記支持部に対して上下移動することにより、前記第１の挟持アームと前記第２の挟持アームとを開閉する架橋部材と、
雄ねじが形成された軸部材と、を有し、
この軸部材の下端が前記架橋部材に固定されると共に、前記軸部材を長手方向軸線回りに回転させることによって、前記架橋部材が上下移動するように、前記雄ねじが前記支持部に螺合可能であり、
前記第１の挟持アームの下部、及び前記第２の挟持アームの下部のそれぞれには、前記二本の配管の長手方向軸線と実質的に直交する板状のすきまゲージ部材と、前記板状のすきまゲージ部材に重ねられる板状の追加ゲージ部材であって前記二本の配管の端面の間隔を所望の値に管理するために調整された枚数の前記追加ゲージ部材が、前記二本の配管の間に挿抜可能に設けられていることを特徴とする配管挟持装置。
【請求項５】
前記第１の挟持アーム、前記第２の挟持アーム、及び前記架橋部材は、上下方向中心軸線に対して左右対称に形成され、前記架橋部材の中央下部には、前記二本の配管の長手方向軸線と実質的に直交する板状のすきまゲージ部材と、前記板状のすきまゲージ部材に重ねられる板状の追加ゲージ部材であって前記二本の配管の端面の間隔を所望の値に管理するために調整された枚数の前記追加ゲージ部材が、前記二本の配管の間に挿抜可能に設けられている請求項４に記載の配管挟持装置。
【請求項６】
前記第１の挟持アーム、前記第２の挟持アーム、及び前記架橋部材には、前記二本の配管の長手軸線方向に延びるほぼ円柱状の芯出し手段が設けられており、この芯出し手段の側面に、前記二本の配管の径方向に沿ってスリットが形成され、
前記すきまゲージ部材及び前記追加ゲージ部材は、Ｕ字型の平面形状を持つ平板であり、
前記すきまゲージ部材の両腕部の間隔は上記芯出し手段の外径よりも小さく、前記すきまゲージ部材の両腕部が前記芯出し手段のスリットに差し込まれるようになっており、
前記追加ゲージ部材の両腕部の間隔は、前記芯出し手段の外径よりも大きく、
前記すきまゲージ部材は、このすきまゲージ部材に重ねられた前記追加ゲージ部材と共に、前記芯出し手段のスリットに沿って、前記二本の配管の径方向に沿って移動可能になっている、請求項５に記載の配管挟持装置。
【発明の詳細な説明】
【技術分野】
【０００１】
本発明は、配管挟持装置に係り、特に、二本の配管の芯出しをするために配管を挟持する配管挟持装置に関する。
【背景技術】
【０００２】
従来から、互いに溶接する二本の配管同士の芯出しをするために、二本の配管同士の接続部を二つの挟持アームで両側から挟持して固定することは、一般的に知られている。例えば、大口径や小口径の種々の仕様の配管を挟持するために、挟持する配管の寸法に応じて、挟持アーム同士の開閉具合を調整している。
また、挟持アーム同士の開閉具合を調整する手段として、挟持アームに連結されている送りねじ等を採用し、この送りねじの軸回りの回転による送り量によって挟持アーム同士を開閉させることも考えられる。
【発明の概要】
【発明が解決しようとする課題】
【０００３】
ところで、二本の配管同士を突合せ溶接する場合、良好な溶接部が得られるようにするために、配管の肉厚に応じて、二本の配管同士の間隔（ルート間隔）を適切な間隔に管理する必要がある。そこで、従来は、作業者が二本の配管同士の間隔を定規やノギスを用いて計測し、所望のルート間隔が得られているか否かを確認している。
【０００４】
しかしながら、上述したように二本の配管同士の間隔を定規やノギスを用いて計測する必要があるので、作業が煩雑になるという問題がある。また、ルート間隔の計測位置や作業者の個人差により、ルート間隔の計測結果に誤差が生じやすく、ルート間隔を正確に管理できないという問題もある。また、簡易な構造で短時間で配管を挟持し、効率よく芯出しを行いつつ、二本の配管同士のルート間隔を正確に管理することは重要な課題であるにもかかわらず、このような課題を解決した公知公用の技術や先行技術文献は未だ存在していない。
【０００５】
そこで、本発明は、このような従来の課題を解決するためになされたものであり、二本の配管の芯出しをする際に、挟持した配管同士の芯出しを容易に行うことができると共に、配管同士の間隔を正確に管理することができ、簡易な構造で使い勝手が良い配管挟持装置を提供することを目的としている。
【課題を解決するための手段】
【０００６】
上記の目的を達成するために、本発明は、互いに接続すべき二本の配管の芯出しをするために配管を挟持する配管挟持装置であって、配管の周面を異なる側から保持する複数の挟持部を有し、挟持部は、二本の配管の周面に当接して、これら二本の配管の芯出しをするための芯出し手段と、二本の配管の長手方向軸線と実質的に直交する方向に、二本の配管の端面の間へと延びる板状のすきまゲージ部材と、すきまゲージ部材に重ねられて、このすきまゲージ部材と共に二本の配管の端面の間へと延びる板状の追加ゲージ部材とを有し、すきまゲージ部材と、二本の配管の端面の間隔を所望の値に管理するために調整された枚数の追加ゲージ部材が、二本の配管の間に、配管の径方向に挿抜可能に設けられていることを特徴とする。
このように構成された本発明においては、配管の周面を異なる側から保持する複数の挟持部は、二本の配管の長手方向軸線と実質的に直交する方向に、二本の配管の端面の間へと延びる板状のすきまゲージ部材を有するので、二本の配管同士を挟持部で保持して接続させる際に、これらの二本の配管の間隔を、二本の配管の端面の間へと延びるすきまゲージ部材の板厚に管理することができる。これにより、二本の配管の芯出しをする際に、配管の端面同士の間隔を正確に管理することができる。また、二本の配管の端面の間へと延びるすきまゲージ部材の板厚を調整することにより、配管同士の間隔を容易に所望の値に管理することができる。
また、すきまゲージ部材を、二本の配管の間に、配管の径方向に挿抜することにより、二本の配管の間隔をすきまゲージ部材の板厚に管理し、又は、配管同士を直接接触させることができ、配管同士の間隔を一層容易に管理することができる。
また、板状の追加ゲージ部材は、すきまゲージ部材に重ねられて二本の配管の端面の間へと延びるので、すきまゲージ部材に重ねられる追加ゲージ部材の板厚や枚数を調整することにより、配管同士の間隔を一層容易に所望の値に管理することができる。
【０００７】
本発明において、好ましくは、芯出し手段は、二本の配管の長手方向軸線に延びるほぼ円柱状に形成され、この芯出し手段の側面に、二本の配管の径方向に沿ってスリットが形成され、すきまゲージ部材及び追加ゲージ部材は、Ｕ字型の平面形状を持つ平板であり、すきまゲージ部材の両腕部の間隔は上記芯出し手段の外径よりも小さく、すきまゲージ部材の両腕部が芯出し手段のスリットに差し込まれるようになっており、追加ゲージ部材の両腕部の間隔は、芯出し手段の外径よりも大きく、すきまゲージ部材は、このすきまゲージ部材に重ねられた追加ゲージ部材と共に、芯出し手段のスリットに沿って、二本の配管の径方向に沿って移動可能になっている。
【０００８】
本発明において、好ましくは、芯出し手段は、二本の配管のうちの一方の配管の周面に当接する第１の当接部と、二本の配管のうちの他方の配管の周面に当接する第２の当接部とを有し、すきまゲージ部材は、芯出し手段の第１の当接部と第２の当接部との間に設けられている。
このように構成された本発明においては、すきまゲージ部材は、芯出し手段の第１の当接部と第２の当接部との間に設けられているので、すきまゲージ部材を二本の配管の端面の間に容易に配置することができる。
【００１０】
本発明において、好ましくは、配管挟持装置は、実質的に上下方向に延び、配管の周面を一方の側から保持する第１の挟持アームと、実質的に上下方向に延び、配管の周面を他方の側から保持する第２の挟持アームと、第１の挟持アーム及び第２の挟持アームの各上端部を回動可能に支持する支持部と、一端部が第１の挟持アームに沿って移動可能に設けられると共に、他端部が第２の挟持アームに沿って移動可能に設けられ、支持部に対して上下移動することにより、第１の挟持アームと第２の挟持アームとを開閉する架橋部材と、雄ねじが形成された軸部材と、を有し、この軸部材の下端が架橋部材に固定されると共に、軸部材を長手方向軸線回りに回転させることによって、架橋部材が上下移動するように、雄ねじが支持部に螺合可能であり、第１の挟持アームの下部、及び第２の挟持アームの下部のそれぞれには、二本の配管の長手方向軸線と実質的に直交する板状のすきまゲージ部材と、板状のすきまゲージ部材に重ねられる板状の追加ゲージ部材であって二本の配管の端面の間隔を所望の値に管理するために調整された枚数の追加ゲージ部材が、二本の配管の間に挿抜可能に設けられていることを特徴とする。
このように構成された本発明においては、第１の挟持アームの下部、及び第２の挟持アームの下部のそれぞれに、二本の配管の長手方向軸線と実質的に直交する板状のすきまゲージ部材と、板状のすきまゲージ部材に重ねられる板状の追加ゲージ部材が、二本の配管の間に挿抜可能に設けられているので、二本の配管同士を第１の挟持アーム及び第２の挟持アームで保持して接続させる際に、これらの二本の配管の間隔を、二本の配管の間に挿入されたすきまゲージ部材及び追加ゲージ部材の板厚に管理することができる。これにより、二本の配管の芯出しをする際に、挟持した配管同士の芯出しを容易に行うことができると共に、配管同士の間隔を正確に管理することができる。また、二本の配管の間に挿入されるすきまゲージ部材及び追加ゲージ部材の板厚や枚数を調整することにより、配管同士の間隔を容易に所望の値に管理することができる。更に、二本の配管の間からすきまゲージ部材及び追加ゲージ部材を抜き取ることにより、配管同士を直接接触させることもできる。
【００１１】
本発明において、好ましくは、支持部、第１の挟持アーム、第２の挟持アーム、及び架橋部材は、上下方向中心軸線に対して左右対称に形成され、架橋部材の中央下部には、二本の配管の長手方向軸線と実質的に直交する板状のすきまゲージ部材と、板状のすきまゲージ部材に重ねられる板状の追加ゲージ部材であって二本の配管の端面の間隔を所望の値に管理するために調整された枚数の追加ゲージ部材が、二本の配管の間に挿抜可能に設けられている。
このように構成された本発明においては、架橋部材の中央下部、第１の挟持アームの下部、及び第２の挟持アームの下部のそれぞれに、二本の配管の長手方向軸線と実質的に直交する板状のすきまゲージ部材と、板状のすきまゲージ部材に重ねられる板状の追加ゲージ部材が、二本の配管の間に挿抜可能に設けられているので、配管の円周に沿って三箇所で配管同士の間隔をすきまゲージ部材及び追加ゲージ部材の板厚に管理することができ、配管同士の間隔を一層正確に管理することができる。
本発明において、好ましくは、第１の挟持アーム、第２の挟持アーム、及び架橋部材には、二本の配管の長手軸線方向に延びるほぼ円柱状の芯出し手段が設けられており、この芯出し手段の側面に、二本の配管の径方向に沿ってスリットが形成され、すきまゲージ部材及び追加ゲージ部材は、Ｕ字型の平面形状を持つ平板であり、すきまゲージ部材の両腕部の間隔は上記芯出し手段の外径よりも小さく、すきまゲージ部材の両腕部が芯出し手段のスリットに差し込まれるようになっており、追加ゲージ部材の両腕部の間隔は、芯出し手段の外径よりも大きく、すきまゲージ部材は、このすきまゲージ部材に重ねられた追加ゲージ部材と共に、芯出し手段のスリットに沿って、二本の配管の径方向に沿って移動可能になっている。
【発明の効果】
【００１２】
本発明の配管挟持装置によれば、二本の配管の芯出しをする際に、挟持した配管同士の芯出しを容易に行うことができると共に、配管同士の間隔を正確に管理することができる。
【図面の簡単な説明】
【００１３】
【図１】本発明の一実施形態による配管挟持装置を示す全体正面図である。
【図２】本発明の一実施形態による配管挟持装置を示す側面図である。
【図３】本発明の一実施形態による配管挟持装置を示す拡大正面図である。
【図４】本発明の一実施形態による配管挟持装置を示す拡大側面図である。
【図５】本発明の一実施形態による配管挟持装置のすきまゲージの把持部を示す図であり、図５（ａ）は正面図、図５（ｂ）は平面図、図５（ｃ）は側面図である。
【図６】本発明の一実施形態による配管挟持装置のすきまゲージの第１ゲージを示す図であり、図６（ａ）は正面図、図６（ｂ）は側面図である。
【図７】本発明の一実施形態による配管挟持装置のすきまゲージの第２ゲージを示す図であり、図７（ａ）は正面図、図７（ｂ）は側面図である。
【図８】本発明の一実施形態による配管挟持装置が配管を挟持した状態を示す正面図である。
【図９】本発明の一実施形態による配管挟持装置を用いて、溶接される二本の配管を挟持した状態を示す側面図である。
【発明を実施するための形態】
【００１４】
以下、添付図面を参照して本発明の一実施形態による配管挟持装置について説明する。
図１は、本発明の一実施形態による配管挟持装置を示す全体正面図であり、図２は、本発明の一実施形態による配管挟持装置を示す側面図である。
まず、図１及び図２に示すように、本発明の一実施形態による配管挟持装置１は、二本の配管同士を溶接加工等により接続したりする前に、配管同士を挟持し、接続して仮付けしたり、固定したりすることにより、配管の中心軸線同士を合わせて芯出しをするためのものである。この配管挟持装置１は、実質的に上下方向に延び、配管２の周面を一方の側から保持する挟持部としての第１の挟持アーム４と、実質的に上下方向に延び、配管２の周面を他方の側から保持する挟持部としての第２の挟持アーム６とを備えている。
【００１５】
つぎに、配管挟持装置１は、これらの第１の挟持アーム４及び第２の挟持アーム６の各上端部４ａ，６ａを回動可能に支持する支持部８を備えている。
また、配管挟持装置１は、架橋部材１０を備えている。この架橋部材１０の一端部は、第１の挟持アーム４のガイド溝４ｂに沿って摺動可能に連結され、他端部は、第２の挟持アーム６のガイド溝６ｂに沿って摺動可能に連結されており、架橋部材１０が支持部８に対して上下移動することにより、第１の挟持アーム４と第２の挟持アーム６とを開閉することができるようになっている。
さらに、配管挟持装置１は、雄ねじ１２が形成された軸部材１４を備え、この軸部材１４の下端は、架橋部材１０に固定されており、軸部材１４を長手方向の中心軸線Ａ１回りに回転させることによって架橋部材１０が上下移動することができるように、雄ねじ１２が支持部８の内部に螺合可能となっている。
【００１６】
支持部８、第１の挟持アーム４、第２の挟持アーム６、及び架橋部材１０は、上下方向中心軸線Ａ１に対して左右対称に形成され、架橋部材１０の中央下部、第１の挟持アーム４の下部、及び第２の挟持アーム６の下部のそれぞれには、配管２の軸方向に延びるほぼ円柱状の芯出し手段としての保持部材１６，１８，２０が配管２に接触可能に設けられており、これらの保持部材１６，１８，２０は、互いに三点で配管２を保持するようになっている。
【００１７】
また、図２に示すように、架橋部材１０の保持部材１６は、第１の挟持アーム４と第２の挟持アーム６とにより挟持された状態の配管２の周面に係合する第１の当接部としての保持面１６ａと、この保持面１６ａに対して配管２の径方向外側に向かって切り欠かれた切欠き部１６ｂとが形成され、この切欠き部１６ｂにおける配管２と対向する面には、挟持された状態の配管２の径方向に進退移動することにより配管２と当接可能な第２の当接部としての調整ねじ２２が設けられている。この調整ねじ２２の先端は、円錐状に形成されている。
【００１８】
さらに、図１及び図２に示すように、第１の挟持アーム４と第２の挟持アーム６の各保持部材１８，２０についても、架橋部材１０の保持部材１６と同様に、挟持された状態の配管２の周面に係合する第１の当接部としての保持面１８ａ，２０ａと、これらの保持面１８ａ，２０ａに対して配管２の径方向外側に向かって切り欠かれた切欠き部１８ｂ，２０ｂとがそれぞれ形成され、各切欠き部１８ｂ，２０ｂにおける配管２と対向する面には、挟持された状態の配管２の径方向に進退移動することにより配管２と当接可能な第２の当接部としての調整ねじ２４，２６がそれぞれ設けられている。
【００１９】
また、架橋部材１０の保持部材１６、第１の挟持アーム４の保持部材１８、及び、第２の挟持アーム６の保持部材２０のそれぞれには、二本の配管２の長手方向軸線と実質的に直交するすきまゲージ２８が、二本の配管２の間に挿抜可能に設けられている。
【００２０】
つぎに、図３〜図７を参照し、すきまゲージ２８の詳細について説明する。
図３は、本発明の一実施形態による配管挟持装置１を示す拡大正面図であり、図４は、本発明の一実施形態による配管挟持装置１を示す拡大側面図である。図５は、本発明の一実施形態による配管挟持装置１のすきまゲージ２８の把持部を示す図であり、図５（ａ）は正面図、図５（ｂ）は平面図、図５（ｃ）は側面図である。図６は、本発明の一実施形態による配管挟持装置１のすきまゲージ２８の第１ゲージを示す図であり、図６（ａ）は正面図、図６（ｂ）は側面図である。図７は、本発明の一実施形態による配管挟持装置１のすきまゲージ２８の第２ゲージを示す図であり、図７（ａ）は正面図、図７（ｂ）は側面図である。
【００２１】
図３及び図４に示すように、すきまゲージ２８は、作業者によって把持される把持部３０と、この把持部３０に固定された平板状のすきまゲージ部材としての第１ゲージ３２及び追加ゲージ部材としての第２ゲージ３４とを備えている。
図５に示すように、把持部３０は、Ｌ字型の断面形状を持つ板材であり、正面視で長手方向の両端近傍に貫通孔３０ａが形成されている。
また、図６に示すように、第１ゲージ３２は、Ｕ字型の平面形状を持つ平板であり、このＵ字型の両腕部３２ａの先端近傍に貫通孔３２ｂが形成されている。第１ゲージ３２の板厚ｔ1は、例えば２ｍｍである。
また、図７に示すように、第２ゲージ３４は、Ｕ字型の平面形状を持つ平板であり、このＵ字型の両腕部３４ａの先端近傍に貫通孔３４ｂが形成されている。第２ゲージ３４の板厚ｔ2は、例えば２ｍｍである。
これらの把持部３０、第１ゲージ３２、及び第２ゲージ３４における各貫通孔３０ａ，３２ｂ，３４ｂ間の距離は同一となっており、把持部３０、第１ゲージ３２、及び第２ゲージ３４を重ねると、これらの把持部３０、第１ゲージ３２、及び第２ゲージ３４を貫通する孔が形成されるようになっている。
【００２２】
図３に示すように、第１ゲージ３２の両腕部３２ａの間隔は、保持部材１６の外径よりも小さくなるように形成されている。保持部材１６の保持面１６ａと調整ねじ２２との間において、保持部材１６の切欠き部１６ｂの側面には、挟持された状態の配管２の径方向に沿ってスリット（図示省略）が形成されており、第１ゲージ３２の両腕部３２ａは、このスリットに差し込まれるようになっている。また、第２ゲージ３４の両腕部３４ａの間隔は、保持部材１６の外径よりも大きくなるように形成されている。
すきまゲージ２８を架橋部材１０の保持部材１６に取り付ける場合には、まず、第２ゲージ３４の両腕部３４ａの間に保持部材１６が位置するように、第２ゲージ３４を保持部材１６の長手方向に沿って移動させ、次に、第１ゲージ３２の両腕部３２ａを保持部材１６の側面のスリットに下方から差し込む。次いで、把持部３０、第１ゲージ３２、及び、第２ゲージ３４の各貫通孔３０ａ，３２ｂ，３４ｂが重なるように互いに位置合せを行い、これらの貫通孔３０ａ，３２ｂ，３４ｂにねじ３６を挿通し、ナット３８により固定する。このように、把持部３０、第１ゲージ３２、及び、第２ゲージ３４をねじ３６及びナット３８によって共締めすることにより、第１ゲージ３２及び第２ゲージ３４が互いに重ねられた状態で固定される。
このようにして架橋部材１０の保持部材１６に取り付けられたすきまゲージ２８は、保持部材１６の側面のスリットに沿って、挟持された状態の配管２の径方向（即ち、配管２の長手方向軸線と直交する方向）に沿って移動可能になっている。
【００２３】
また、図３及び図４に示すように、第１の挟持アーム４の保持部材１８と第２の挟持アーム６の保持部材２０のそれぞれに取り付けられた各すきまゲージ２８についても、架橋部材１０のすきまゲージ２８と同様に、把持部３０、第１ゲージ３２及び第２ゲージ３４を備え、各保持部材１６，１８，２０の側面のスリットに沿って、挟持された状態の配管２の径方向に沿って移動可能になっている。
【００２４】
次に、図１乃至図９を参照して、本実施形態の配管挟持装置１の動作（作用）について説明する。
図８は、本発明の一実施形態による配管挟持装置１が配管２を挟持した状態を示す正面図であり、図９は、本発明の一実施形態による配管挟持装置１を用いて、溶接される二本の配管２を挟持した状態を示す側面図である。
【００２５】
まず、作業者は、軸部材１４をその中心軸線Ａ１回りに回動させ、軸部材１４及びその雄ねじ１２を上昇させる。これにより、この軸部材１４の下端に固定されている架橋部材１０が軸部材１４と共に上昇するので、架橋部材１０の両側の各端部が、各挟持アーム４，６のガイド溝４ｂ，６ｂに沿って上昇し、挟持アーム４，６の双方の間隔が大きくなる。
【００２６】
次に、挟持アーム４，６の双方の間隔を、挟持すべき配管２を挿入可能な大きさまで拡大した後、一方側の配管２ａを、配管挟持装置１の挟持アーム４，６及び架橋部材１０によって囲まれる領域に配管挟持装置１の後側から挿入する。このとき、配管２ａの上端部を、架橋部材１０の保持部材１６の保持面１６ａに沿って移動させ、配管２ａの前端部を架橋部材１０の保持部材１６の切欠き部１６ｂの先端付近の下方まで移動させる。
【００２７】
そして、配管２ａの上面に調整ねじ２２の下端が当接するまで架橋部材１０の保持部材１６の調整ねじ２２をその中心軸線回りに回動させる。必要に応じて、挟持アーム４，６の各保持部材１８，２０の調整ねじ２４，２６についても、配管２ａの外面に当接させるように調整する。
【００２８】
次に、配管挟持装置１の全体を一方側の配管２ａに対して前方側（図９では左側）へ移動させると共に、他方側の配管２ｂを配管挟持装置１の前方側から後方側へ挿入する。このとき、図８及び図９に示すように、架橋部材１０の保持部材１６、第１の挟持アーム４の保持部材１８、及び、第２の挟持アーム６の保持部材２０のそれぞれに取り付けられた各すきまゲージ２８を、配管２ａ及び配管２ｂの径方向内側に向かって移動させ、各すきまゲージ２８の先端を、配管２ａ及び配管２ｂの外周よりも内側に位置させる。
【００２９】
そして、他方側の配管２ｂを、配管挟持装置１の前方側から各すきまゲージ２８の前方側の面に突き当てるように挿入する。そして、他方側の配管２ｂを各保持部材１６，１８，２０の調整ねじ２２，２４，２６で調整して固定することにより、接続する配管２ａ，２ｂ同士の芯出しが行われる。このとき、一方側の配管２ａと他方側の配管２ｂとの間のルート間隔は、すきまゲージ２８の板厚、即ち第１ゲージ３２及び第２ゲージ３４の板厚ｔ1，ｔ2の合計値（本実施形態では４ｍｍ）となっている。
【００３０】
一方側の配管２ａと他方側の配管２ｂとの間のルート間隔を０ｍｍにする場合には、架橋部材１０の保持部材１６、第１の挟持アーム４の保持部材１８、及び、第２の挟持アーム６の保持部材２０のそれぞれに取り付けられた各すきまゲージ２８を、配管２ａ及び配管２ｂの径方向外側に向かって移動させ、各すきまゲージ２８の先端を、配管２ａ及び配管２ｂの外周よりも外側に位置させる。この状態で、他方側の配管２ｂを、配管挟持装置１の前方側から配管２ａの前端部に突き当てるように挿入する。
【００３１】
また、一方側の配管２ａと他方側の配管２ｂとの間のルート間隔を２ｍｍにする場合には、各すきまゲージ２８から第２ゲージ３４を取り外した状態で、他方側の配管２ｂを、配管挟持装置１の前方側から各すきまゲージ２８の前方側の面に突き当てるように挿入する。このとき、一方側の配管２ａと他方側の配管２ｂとの間のルート間隔は、すきまゲージ２８の板厚、即ち第１ゲージ３２の板厚ｔ1（本実施形態では２ｍｍ）となっている。
【００３２】
なお、上述した実施形態では、第１ゲージ３２及び第２ゲージ３４の何れも板厚が２ｍｍであると説明したが、これとは異なる板厚にしてもよい。また、上述した実施形態では、すきまゲージ２８が、第１ゲージ３２及び第２ゲージ３４の２枚のゲージを備えていると説明したが、３枚以上のゲージを備えてもよい（例えば、１枚の第１ゲージ３２及び２枚以上の第２ゲージ３４を重ねてすきまゲージ２８とする等）。
また、上述した実施形態では、すきまゲージ２８が、把持部３０、第１ゲージ３２及び第２ゲージ３４を備えていると説明したが、把持部３０を省略してもよい。
また、上述した実施形態では、第１ゲージ３２及び第２ゲージ３４がＵ字型の平面形状を持つ平板であると説明したが、すきまゲージ２８を二本の配管２ａ，２ｂの間に挿抜可能な形状であれば、第１ゲージ３２及び第２ゲージ３４をＵ字型とは異なる他の平面形状に形成してもよい。
また、上述した実施形態では、すきまゲージ２８が、架橋部材１０の保持部材１６、第１の挟持アーム４の保持部材１８、及び、第２の挟持アーム６の保持部材２０のそれぞれに設けられていると説明したが、すきまゲージ２８を二本の配管２ａ，２ｂの間に挿抜可能な位置であれば、保持部材１６，１８，２０とは異なる位置にすきまゲージ２８を設けてもよい（例えば、適当なブラケットを介して第１の挟持アーム４及び第２の挟持アーム６の側面に取り付ける等）。
【００３３】
次に、上述した本発明の実施形態による配管挟持装置１の作用効果を説明する。
【００３４】
まず、上述した本発明の実施形態による配管挟持装置１によれば、配管２の周面を異なる側から保持する第１の挟持アーム４及び第２の挟持アーム６は、二本の配管２ａ，２ｂの長手方向軸線と実質的に直交する方向に、二本の配管２ａ，２ｂの端面の間へと延びる板状の第１ゲージ３２を有するので、二本の配管同士２ａ，２ｂを第１の挟持アーム４及び第２の挟持アーム６で保持して接続させる際に、これらの二本の配管２ａ，２ｂの間隔を、二本の配管２ａ，２ｂの端面の間へと延びる第１ゲージ３２の板厚に管理することができる。これにより、二本の配管２ａ，２ｂの芯出しをする際に、配管２ａ，２ｂの端面同士の間隔を正確に管理することができる。また、二本の配管２ａ，２ｂの端面の間へと延びる第１ゲージ３２の板厚を調整することにより、配管２ａ，２ｂ同士の間隔を容易に所望の値に管理することができる。
【００３５】
また、第１ゲージ３２を、二本の配管２ａ，２ｂの間に、配管２ａ，２ｂの径方向に挿抜することにより、二本の配管２ａ，２ｂの間隔を第１ゲージ３２の板厚に管理し、又は、配管２ａ，２ｂ同士を直接接触させることができ、配管２ａ，２ｂ同士の間隔を一層容易に管理することができる。
【００３６】
また、第１ゲージ３２は、保持部材１６，１８，２０の保持面１６ａ，１８ａ，２０ａと調整ねじ２２，２４，２６との間に設けられているので、第１ゲージ３２を二本の配管２ａ，２ｂの端面の間に容易に配置することができる。
【００３７】
また、板状の第２ゲージ３４は、第１ゲージ３２に重ねられて二本の配管２ａ，２ｂの端面の間へと延びるので、第１ゲージ３２に重ねられる第２ゲージ３４の板厚や枚数を調整することにより、配管２ａ，２ｂ同士の間隔を一層容易に所望の値に管理することができる。
【００３８】
また、第１の挟持アーム４の下部、及び第２の挟持アーム６の下部のそれぞれに、二本の配管２ａ，２ｂの長手方向軸線と実質的に直交する１枚又は複数枚の所定板厚のゲージ３２，３４を備えたすきまゲージ２８が、二本の配管２ａ，２ｂの間に挿抜可能に設けられているので、二本の配管２ａ，２ｂ同士を第１の挟持アーム４、及び第２の挟持アーム６で保持して接続させる際に、これらの二本の配管２ａ，２ｂの間隔を、二本の配管２ａ，２ｂの間に挿入されたすきまゲージ２８の板厚に管理することができる。これにより、二本の配管２ａ，２ｂの芯出しをする際に、挟持した配管２ａ，２ｂ同士の芯出しを容易に行うことができると共に、配管２ａ，２ｂ同士の間隔を正確に管理することができる。また、二本の配管２ａ，２ｂの間に挿入されるすきまゲージ２８が備える各ゲージ３２，３４の板厚や枚数を調整することにより、配管２ａ，２ｂ同士の間隔を容易に所望の値に管理することができる。更に、二本の配管２ａ，２ｂの間からすきまゲージ２８を抜き取ることにより、配管２ａ，２ｂ同士を直接接触させることもできる。
【００３９】
また、本実施形態による配管挟持装置１によれば、架橋部材１０の中央下部、第１の挟持アーム４の下部、及び第２の挟持アーム６の下部のそれぞれに、二本の配管２ａ，２ｂの長手方向軸線と実質的に直交するすきまゲージ２８が、二本の配管２ａ，２ｂの間に挿抜可能に設けられているので、配管２ａ，２ｂの円周に沿って三箇所で配管２ａ，２ｂ同士の間隔をすきまゲージ２８の板厚に管理することができ、配管２ａ，２ｂ同士の間隔を一層正確に管理することができる。
【符号の説明】
【００４０】
１    配管挟持装置
２    配管
２ａ  一方側の配管
２ｂ  他方側の配管
４    第１の挟持アーム
４ａ  第１の挟持アームの上端部
４ｂ  第１の挟持アームのガイド溝
６    第２の挟持アーム
６ａ  第２の挟持アームの上端部
６ｂ  第２の挟持アームのガイド溝
８    支持部
１０    架橋部材
１２    雄ねじ
１４    軸部材
１６    保持部材（保持部）
１６ａ  保持面
１６ｂ  切欠き部
１８    保持部材（保持部）
１８ａ  保持面
１８ｂ  切欠き部
２０    保持部材（保持部）
２０ａ  保持面
２０ｂ  切欠き部
２２    調整ねじ
２４    調整ねじ
２６    調整ねじ
２８    すきまゲージ
３０    把持部
３０ａ  貫通孔
３２    第１ゲージ
３２ａ  腕部
３２ｂ  貫通孔
３４    第２ゲージ
３４ａ  腕部
３４ｂ  貫通孔
３６    ねじ
３８    ナット
Ａ１    軸部材の長手方向の中心軸線
【図１】
0006003858.tif 000002
【図２】
0006003858.tif 000003
【図３】
0006003858.tif 000004
【図４】
0006003858.tif 000005
【図５】
0006003858.tif 000006
【図６】
0006003858.tif 000007
【図７】
0006003858.tif 000008
【図８】
0006003858.tif 000009
【図９】
0006003858.tif 000010